(57)【特許請求の範囲】
【請求項１】
筒軸心方向を上下方向とし、原水が下向流にて通液され、逆洗水が上向流にて通液される筒状のケーシングと、
該ケーシング内に配置された下側多孔板及び上側多孔板と、
下端部が該下側多孔板に連結され、上端部が該上側多孔板に連結された濾材と
を備え、該濾材は、芯紐と、該芯紐の周側に突出する濁質捕捉材とを有している濾過装置において、
該ケーシングは大径の上部ケーシングと、該上部ケーシングよりも小径の下部ケーシングとを備えており、
前記上側多孔板は該上部ケーシング内に上下動可能に配置され、前記下側多孔板は該下部ケーシング内に上下動可能に配置されており、
該上側多孔板は、該上部ケーシング内において、原水が下向流にて通液されるときには下降位置をとっており、逆洗水が上向流にて通液されると上方移動するように構成されており、
前記下側多孔板は、前記下部ケーシング内において、原水が下向流にて通液されるときには下降位置をとっており、逆洗水が上向流にて通液されると上方移動するように構成されていることを特徴とする濾過装置。
【請求項２】
請求項１において、前記下側多孔板が上部ケーシングへ移動することを阻止するためのストッパ部が設けられていることを特徴とする濾過装置。
【請求項３】
請求項１又は２において、前記上部ケーシング内に前記上側多孔板の下降を停止させるストッパが設けられていることを特徴とする濾過装置。
【請求項４】
請求項１において、前記下側多孔板は、原水が下向流にて通液されるとき、前記下部ケーシング内において下方への移動が規制されていることを特徴とする濾過装置。
【請求項５】
請求項４において、前記下部ケーシング内において前記下側多孔板を下方から支持した支持部が設けられており、
該下側多孔板は、該支持部により、原水が下向流にて通液されるとき、該下部ケーシング内において下方への移動が規制されていることを特徴とする濾過装置。
【請求項６】
請求項１ないし５のいずれか１項において、前記上部ケーシングの内径は下部ケーシングの内径の１．１〜２倍であることを特徴とする濾過装置。
【請求項７】
請求項１ないし６のいずれか１項の濾過装置を運転する方法であって、
原水の処理時には原水を下向流にて通液し、前記濾材の一部又は全部を下部ケーシング内に位置させ、
逆洗時には、逆洗水を上向流にて通液して前記上側多孔板及び濾材の一部又は全部を上昇させ、濾材を上部ケーシングに導入することを特徴とする濾過装置の運転方法。
【発明の詳細な説明】
【技術分野】
【０００１】
本発明は、用水、廃水その他の原水から濁質を捕捉するために用いる濾過装置に関するものであり、詳しくは芯紐と、該芯紐の周側に突出させた濁質捕捉材とで濾材を構成し、適宜数の該濾材を濾過室に収設した濾過装置に関する。また、本発明は、この濾過装置の運転方法に関する。
【背景技術】
【０００２】
芯紐と、その周側に突出させた濁質捕捉材とを有する濾材を濾過室に収設した濾過装置として、特許文献１に、濾過室の濾材支持床を構成する多孔板と該多孔板に相対する前記濾過室の構成材との離開距離よりも所定量長い芯紐と、該芯紐の周側に突出させた濁質捕捉材とで濾材を構成し、適宜数の該濾材を前記濾過室に収設し、該濾材の前記芯紐の一端を前記多孔板に、他の一端を前記構成材にそれぞれ止着したものが記載されている。
【０００３】
下記特許文献１の濾過装置では、多孔板が濾過室内の下部に固定設置され、構成材が濾過室内の上部に固定設置されている。両者間の距離よりも所定量長い芯紐の一端が多孔板に止着され、他端が構成材に止着されている。原水は濾過室内を下向流にて通水され、濁質が濁質捕捉材に捕捉される。逆洗に際しては、逆洗水を上向流にて通水する。芯紐の長さが多孔板と構成材との間の距離よりも長いので、多孔板側の芯紐が伸展し、濁質捕捉材に捕捉されていた濁質が逆洗水によりかき取られる（特許文献１の００１６段落）。
【先行技術文献】
【特許文献】
【０００４】
【特許文献１】特許３６３３８５８
【発明の概要】
【発明が解決しようとする課題】
【０００５】
上記特許文献１では、逆洗水によって芯紐を伸展させても、濾材は横には広がらないので、逆洗は十分には行われない。
【０００６】
本発明は、芯紐と、該芯紐の周側に突出させた濁質捕捉材とで濾材を構成し、適宜数の該濾材を濾過室に収設してなる濾過装置において、逆洗が十分に行われるよう構成することを目的とする。
【課題を解決するための手段】
【０００７】
請求項１の濾過装置は、筒軸心方向を上下方向とし、原水が下向流にて通液され、逆洗水が上向流にて通液される筒状のケーシングと、該ケーシング内に配置された下側多孔板及び上側多孔板と、下端部が該下側多孔板に連結され、上端部が該上側多孔板に連結された濾材とを備え、該濾材は、芯紐と、該芯紐の周側に突出する濁質捕捉材とを有している濾過装置において、該ケーシングは大径の上部ケーシングと、該上部ケーシングよりも小径の下部ケーシングとを備えており、前記上側多孔板は該上部ケーシング内に上下動可能に配置され、前記下側多孔板は該下部ケーシング内に上下動可能に配置されており、該上側多孔板は、該上部ケーシング内において、原水が下向流にて通液されるときには下降位置をとっており、逆洗水が上向流にて通液されると上方移動するように構成されており、前記下側多孔板は、前記下部ケーシング内において、原水が下向流にて通液されるときには下降位置をとっており、逆洗水が上向流にて通液されると上方移動するように構成されていることを特徴とするものである。
【０００８】
請求項２の濾過装置は請求項１において、前記下側多孔板が上部ケーシングへ移動することを阻止するためのストッパ部が設けられていることを特徴とするものである。
【０００９】
請求項３の濾過装置は、請求項１又は２において、前記上部ケーシング内に前記上側多孔板の下降を停止させるストッパが設けられていることを特徴とする濾過装置。
【００１０】
請求項４の濾過装置は、請求項１において、前記下側多孔板は、原水が下向流にて通液されるとき、前記下部ケーシング内において下方への移動が規制されていることを特徴とするものである。
【００１１】
請求項５の濾過装置は、請求項４において、前記下部ケーシング内において前記下側多孔板を下方から支持した支持部が設けられており、該下側多孔板は、該支持部により、原水が下向流にて通液されるとき、該下部ケーシング内において下方への移動が規制されていることを特徴とするものである。
【００１３】
請求項６の濾過装置は、請求項１ないし５のいずれか１項において、前記上部ケーシングの内径は下部ケーシングの内径の１．１〜２倍であることを特徴とするものである。
【００１４】
請求項７の濾過装置の運転方法は、請求項１ないし６のいずれか１項の濾過装置を運転する方法であって、原水の処理時には原水を下向流にて通液し、前記濾材の一部又は全部を下部ケーシング内に位置させ、逆洗時には、逆洗水を上向流にて通液して前記上側多孔板及び濾材の一部又は全部を上昇させ、濾材を上部ケーシングに導入することを特徴とするものである。
【発明の効果】
【００１５】
本発明の濾過装置及びその運転方法にあっては、原水の処理時には原水を下向流にて通液する。この場合、上側多孔板が上部ケーシング内において下降位置をとることにより、濾材の一部又は全部が小径の下部ケーシング内に導入され、該下部ケーシング内において濾材が密な状態となり、濁質が濾材に捕捉される。本発明では、原水の処理時には、濾材の下側の一部を小径の下部ケーシング内に位置させ、濾材の上側の一部を大径の上部ケーシング内に位置させることが好ましい。この場合、上部ケーシング内では濾材が疎な状態となり、下部ケーシング内では濾材が密な状態となる。これにより、より大きな粒径を有する濁質は、上部ケーシング内の、濾材が疎な領域において濾材に捕捉され、より小さな粒径を有する濁質は、下部ケーシング内の、濾材が密な領域において濾材に捕捉される。このように濁質が粒径に応じて段階的に濾材によって捕捉されることにより、共通の濾材によって粗濾過から精密濾過まで行うことができる。また、原水の処理時及び逆洗時における通液流量を増大させることもできる。これにより、原水を効率的に濾過することが可能となる。もちろん、本発明においては、濾材の全部を下部ケーシング内に位置させ、該下部ケーシング内の密な状態の濾材のみにより濾過を行うことも可能である。濾材をどの程度、下部ケーシング内に位置させるか（全部か一部か、一部の場合は何％程度を下部ケーシング内に位置させるか）については、原水の性質により適宜決定すればよい。本発明においては、原水を下向流にて通液したときに濾材の一部又は全部が下部ケーシング内に押し込まれることによる該濾材の鉛直方向の疎密化、並びに、このときの上部ケーシングの内径と下部ケーシングの内径との相違に起因する水平方向の疎密化の度合いを同時に且つ自由に設計することができ、濾材の疎密化を精密に制御することができることに特徴がある。
【００１６】
逆洗時には、逆洗水を上向流にて通液し、上側多孔板及び濾材を上昇させ、濾材の一部又は全部を上部ケーシング内に導入する。この上部ケーシングは、下部ケーシングよりも大径であるため、濾材はほぐれた疎な状態となり、濁質が濾材から速やかにかつ十分に取り除かれ、効率よく逆洗が行われる。
【００１７】
また、逆洗時に逆洗水を上向流にて通液すると、下側多孔板も下部ケーシング内において上方移動する。これにより、濾材の全部又は大部分が小径の下部ケーシング内から大径の上部ケーシング内に移動するため、濾材の全部又は大部分が水平方向にほぐれて疎な状態となる。
【００１８】
この場合、逆洗時に下側多孔板が上部ケーシングにまで上昇することを阻止するためのストッパ部を設けておくことにより、下側多孔板は逆洗時にも下部ケーシング内に留まる。そのため、逆洗水の通液を停止するか、又はその後原水を下向流にて通液したときに濾材がスムーズに下部ケーシング内に導入される。
【００１９】
請求項４の濾過装置にあっては、下部ケーシング内における下側多孔板の上下動が規制されており、逆洗時には、上側多孔板のみが上昇するので、この上側多孔板の上昇に伴って濾材の芯紐が上方へ伸長し、これにより、濾材は鉛直方向の圧縮からも開放される。その結果、濾材は水平方向及び鉛直方向の双方向にほぐれた疎な状態となり、濁質が濾材から十分に取り除かれ、効率よく逆洗が行われる。このとき、濾材の下側の一部が小径の下部ケーシング内に位置し、濾材の上側の一部が大径の上部ケーシング内に位置したものとなっているので、逆洗の場合においても、疎密の制御による濁質の洗浄の効率化を適宜設計できることは、下向流による濾過のときの作用と、逆の方向において同様である。なお、本発明において、下側多孔板の上下動を規制するとは、下側多孔板を上下に全く動かなくすることだけでなく、下部ケーシング内のみでの移動であれば、多少、下側多孔板が上下動することも許容する。
【００２０】
一方、濾材を交換する際の手間を軽くすることを重視する場合には、下部ケーシング内において下側多孔板を下方から支持する支持部を設け、この支持部により、該下部ケーシング内における下側多孔板の下方への移動を規制することが好ましい。この場合、支持部により下側多孔板の下方への移動が規制される。
【図面の簡単な説明】
【００２１】
【図１】実施の形態に係る濾過装置の原水処理時の内部透視斜視図である。
【図２】図１の濾過装置の逆洗時の内部透視斜視図である。
【図３】実施の形態に係る濾過装置の原水処理時の内部透視斜視図である。
【図４】図３の濾過装置の逆洗時の内部透視斜視図である。
【図５】実施の形態に係る濾過装置の逆洗時の内部透視斜視図である。
【発明を実施するための形態】
【００２２】
［第１の実施の形態］
以下、図１，２を参照して第１の実施の形態について説明する。
【００２３】
この濾過装置１は、筒軸心方向を鉛直上下方向とした略円筒形のケーシング２と、該ケーシング２内に配置された上側多孔板３及び下側多孔板４と、上端が上側多孔板３に連結され、下端が下側多孔板４に連結された濾材５等を備えている。
【００２４】
ケーシング２は、上端から順に上通水口２ａ、上テーパ部２ｂ、円筒形の上部ケーシング２ｃ、中間テーパ部２ｄ、円筒形の下部ケーシング２ｅ、下テーパ部２ｆ、下通水口２ｇとなっている。上テーパ部２ｂは下方ほど拡径し、中間テーパ部２ｄ及び下テーパ部２ｆは下方ほど縮径している。上部ケーシング２ｃの内径は好ましくは下部ケーシング２ｅの内径の１．１〜２倍、特に好ましくは１．２〜１．５倍、とりわけ好ましくは１．３〜１．４倍である。
【００２５】
下部ケーシング２ｅの上部には、下側多孔板４が上部ケーシング２ｃへ移動することを阻止するためのストッパ６が設けられている。ストッパ６は、下部ケーシング２ｅの内面から突出した突部であり、周方向に間隔をおいて複数個設けられている。なお、ストッパ６は、濾材５の交換時には、下部ケーシング２ｅから取り外せるように構成されている。下部ケーシング２ｅの下端からストッパ６までの距離は、下部ケーシング２ｅの内径（直径）の０．１〜０．６倍、特に０．２〜０．４倍程度が好適である。
【００２６】
上部ケーシング２ｃの下端から上端までの距離は、下部ケーシング２ｅの下端からストッパ６までの距離の１〜１０倍、特に５〜８倍程度が好適である。
【００２７】
上側多孔板３及び下側多孔板４は、直径３〜６ｍｍ程度の開口を多数設けた円板状であり、開口率は１０〜３０％程度が好適である。上側多孔板３及び下側多孔板４の材料は合成樹脂が好適であるが、これに限定されない。上側多孔板３の直径は上部ケーシング２ｃの内径（直径）の７０〜９５％、特に８０〜９０％程度が好適であり、下側多孔板４の直径は下部ケーシング２ｅの内径（直径）の７０〜９５％、特に８０〜９０％程度が好適である。この実施の形態では、上側多孔板３及び下側多孔板４は、原水が下向流にてケーシング２内に通液されたときには、それぞれ上部ケーシング２ｃの下端及び下部ケーシング２ｅの下端に下降しており、逆洗水が上向流にてケーシング２内に通液されたときには、それぞれ上方へ浮上するように構成されている。上側多孔板３及び下側多孔板４にそれぞれこのような挙動をさせるためには、例えば、下向流のときには、上側多孔板３、下側多孔板４及び濾材５のアッセンブリの重量と下向流の流圧との合力が浮力よりも大きくなり、上向流のときには、上側多孔板３、下側多孔板４及び濾材５のアッセンブリの重量が上向流の流圧と浮力との合力よりも小さくなるように、該上側多孔板３及び下側多孔板４の重量を設定することが挙げられるが、これに限定されない。
【００２８】
濾材５は、芯紐５ａと、該芯紐５ａの周側に突出させたループ状の濁質捕捉材とを有している。芯紐及び濁質捕捉材の材料としてはポリエステル、ナイロン、ポリ塩化ビニル、ポリ塩化ビニリデンなどの合成樹脂が好適であるが、これに限定されない。濾材５は、下部ケーシング２ｅ内において隣接濾材５同士が隙間なく接触する程度の配置密度となるように上側多孔板３、下側多孔板４間に設けられる。芯紐５ａを上側多孔板３及び下側多孔板４に連結ないし留め付けるための手段としては、例えば、多孔板３，４の孔に芯紐５ａを挿通した後、芯紐５ａの端部に結び目を作り、芯紐５ａがこの孔から抜けないようにすることなどが例示されるが、これに限定されない。
【００２９】
なお、濾材５の好適な一例を挙げると次の通りであるが、本発明はこれに限定されない。  
芯紐の直径：２．０〜６．０ｍｍ特に２．５〜４．０ｍｍ
濁質捕捉材の直径：２０〜１００ｍｍ特に４５〜８０ｍｍ
ループ状とされた濁質捕捉材の長さ（ループの一端から他端までの長さ）：２０〜１００ｍｍ特に４５〜８０ｍｍ
濁質捕捉材の配置密度：下部ケーシング２ｅの容積に対して空隙率９０〜９９％程度、特に９２〜９４％が好適である
【００３０】
このように構成された濾過装置１を運転する場合、原水の処理時には図１の通り原水を上通水口２ａから下通水口２ｇへ下向流にて通液する。この場合、上側多孔板３は上部ケーシング２ｃの下端に位置し、下側多孔板４は下部ケーシング２ｅの下端に位置し、濾材５はそのほぼ全体が下部ケーシング２ｅ内に位置し、密な状態となっている。そのため、下部ケーシング２ｅ内を流れる原水中の濁質が濾材に十分に捕捉される。
【００３１】
逆洗時には、図２の通り、逆洗水を下通水口２ｇから上通水口２ａへ上向流にて通液する。この通水の流れに押されることにより、下側多孔板４、上側多孔板３及び濾材５が上昇し、濾材５が上部ケーシング２ｃ内に導入される。なお、下側多孔板４はストッパ６に当接するまで上昇する。
【００３２】
上部ケーシング２ｃは、下部ケーシング２ｅよりも大径であるため、この逆洗状態にあっては、濾材５は相互に離隔してほぐれた疎な状態となり、濁質が濾材５から十分に取り除かれ、効率よく逆洗が行われる。
【００３３】
逆洗が終了した後、逆洗水の通液を停止するか、又はその後原水を下向流にて通液したときに下側多孔板４が下部ケーシング２ｅ内を下降し、上側多孔板３が上部ケーシング２ｃ内を下降し、濾材５がスムーズに下部ケーシング２ｅ内に導入される。
【００３４】
［第１の実施の形態の変形例］
上記の実施の形態では、原水の処理時に濾材５のほぼ全体が下部ケーシング２ｅ内に位置するように構成されているが、濾材５の長さを長めに調整したり、上部ケーシング２ｃ内に上側多孔板３の下降を停止させるストッパ（図示略）を設けて、上側多孔板３の下降限界位置を該上部ケーシング２ｃの下端よりも高い位置に設定したりすることにより、原水の処理時に濾材５の下側の一部が下部ケーシング２ｅ内に位置し、且つ濾材５の上側の一部が上部ケーシング２ｃ内に位置するように構成してもよい。なお、原水の処理時に濾材５の上側の一部を上部ケーシング２ｃ内に留めるための構成は、これに限定されない。
【００３５】
このように構成した場合、小径の下部ケーシング２ｅ内に位置した濾材５は密な状態となり、大径の上部ケーシング２ｃ内では濾材５が疎な状態となる。これにより、より大きな粒径を有する濁質は、上部ケーシング２ｃ内の、濾材５が疎な領域において濾材５に捕捉され、より小さな粒径を有する濁質は、下部ケーシング２ｅ内の、濾材５が密な領域において濾材５に捕捉される。このように濁質が粒径に応じて段階的に濾材５によって捕捉されることにより、原水を効率的に濾過することが可能となる。なお、濾材５をどの程度、下部ケーシング２ｅ内に位置させるかについては、原水の性質により適宜決定すればよい。
【００３６】
［第２の実施の形態］
以下、図３，４を参照して第２の実施の形態について説明する。
【００３７】
図３，４の濾過装置１Ａにおいては、下部ケーシング２ｅ内に配置された下側多孔板４は、ケーシング２内に原水が下向流にて通液された場合、及び、逆洗水が上向流にて通液された場合のいずれの場合においても、下部ケーシング２ｅ内において上下動することが規制されている。
【００３８】
この実施の形態では、下側多孔板４は、下部ケーシング２ｅの下端に連なる下テーパ部２ｆに着底し、該下テーパ部２ｆによって下から支持された状態となっている。即ち、この実施の形態では、該下テーパ部２ｆが請求項５の支持部に相当するが、請求項５の支持部の構成はこれに限定されない。また、下側多孔板４は、ケーシング２内に原水が下向流にて通液された場合、及び、逆洗水が上向流にて通液された場合のいずれの場合においても、浮力や液流の流圧によって下テーパ部２ｆから浮き上がらない程度の重量を有したものとなっている。なお、下側多孔板４をこのような重量を有したものとするために、該下側多孔板４自体を比重の大きい素材から構成してもよい。また、下側多孔板４自体は軽量な素材にて構成し、適宜、この下側多孔板４に錘（図示略）などを結合して重量を増加させるようにしてもよい。この下側多孔板４の重量は、濾材５を交換する際に、手動にて、上側多孔板３、濾材５及び下側多孔板４のアッセンブリをケーシング２から上方へ引き出せる程度とされることが好ましい。
【００３９】
即ち、この実施の形態では、下テーパ部２ｆにより、原水の処理時及び逆洗時における下側多孔板４の下方への移動が規制され、下側多孔板４の重量により、原水の処理時及び逆洗時における下側多孔板４の上方への移動が規制されている。
【００４０】
この実施の形態では、前述の第１の実施の形態の変形例と同様に、原水の処理時に、濾材５の下側の一部が下部ケーシング２ｅ内に位置し、且つ濾材５の上側の一部が上部ケーシング２ｃ内に位置するように構成されている。このように濾材５の上側の一部を上部ケーシング２ｃ内に留めるための構成としては、前述の通り、濾材５の長さを長めに調整したり、上部ケーシング２ｃ内に上側多孔板３の下降を停止させるストッパ（図示略）を設けて、上側多孔板３の下降限界位置を該上部ケーシング２ｃの下端よりも高い位置に設定したりすることが挙げられるが、これに限定されない。前述の通り、濾材５をどの程度、下部ケーシング２ｅ内に位置させるかについては、原水の性質により適宜決定すればよい。
【００４１】
この濾過装置１Ａのその他の構成は、前述の第１の実施の形態に係る濾過装置１と同様であり、図３，４において図１，２と同一符号は同一部分を示している。
【００４２】
この濾過装置１Ａの作動は、以下の通りである。
【００４３】
原水の処理時には、図３の通り、原水を上通水口２ａから下通水口２ｇへ下向流にて通液する。このとき、前述の第１の実施の形態の変形例と同様に、上側多孔板３が上部ケーシング２ｃの下端よりも高い位置に位置しており、濾材５の下側部分は下部ケーシング２ｅ内に位置し、濾材５の上側部分は上部ケーシング２ｃ内に位置している。そのため、小径の下部ケーシング２ｅ内に位置した濾材５は密な状態となり、大径の上部ケーシング２ｃ内では濾材５が疎な状態となる。これにより、より大きな粒径を有する濁質は、上部ケーシング２ｃ内の、濾材５が疎な領域において濾材５に捕捉され、より小さな粒径を有する濁質は、下部ケーシング２ｅ内の、濾材５が密な領域において濾材５に捕捉される。このように濁質が粒径に応じて段階的に濾材５によって捕捉されることにより、原水を効率的に濾過することが可能となる。
【００４４】
逆洗時には、図４の通り、逆洗水を下通水口２ｇから上通水口２ａへ上向流にて通液する。この通水の流れに押されることにより、上側多孔板３が上昇する。このとき、下側多孔板４は上昇しないため、上側多孔板３の上昇に伴い、濾材５の芯紐５ａが上方へ伸長し、濾材５の全体又は濾材５の上側の一部が上部ケーシング２ｃ内に移動する。これにより、濾材は鉛直方向の圧縮から開放される。その結果、濾材は水平方向及び鉛直方向の双方向にほぐれた疎な状態となり、濁質が濾材から十分に取り除かれ、効率よく逆洗が行われる。
【００４５】
［第３の実施の形態］
以下、図５を参照して第２の実施の形態について説明する。
【００４６】
図５の濾過装置１Ｂにおいては、下部ケーシング２ｅ内の下部に、下側多孔板４の上方への移動を規制するためのストッパ６’が設けられている。このストッパ６’は、下部ケーシング２ｅの内面から突出した突部であり、周方向に間隔をおいて複数個設けられている。なお、ストッパ６’は、濾材５の交換時には、下部ケーシング２ｅから取り外せるように構成されている。
【００４７】
即ち、この実施の形態では、下テーパ部２ｆにより、原水の処理時及び逆洗時における下側多孔板４の下方への移動が規制され、ストッパ６’により、原水の処理時及び逆洗時における下側多孔板４の上方への移動が規制されている。
【００４８】
この濾過装置１Ｂのその他の構成は、前述の第２の実施の形態に係る濾過装置１Ａと同様であり、図５において図３，４と同一符号は同一部分を示している。また、この濾過装置１Ｂの作動も、濾過装置１Ａと同様である。
【００４９】
この濾過装置１Ｂにあっては、下側多孔板４を軽量な素材から構成することが可能である。
【００５０】
上記実施の形態は本発明の一例であり、本発明は上記の構成に限定されるものではない。
【符号の説明】
【００５１】
１，１Ａ，１Ｂ  濾過装置
２  ケーシング
２ｃ  上部ケーシング
２ｅ  下部ケーシング
３  上側多孔板
４  下側多孔板
５  濾材
５ａ  芯紐
【図１】
0005353927.tif 000002
【図２】
0005353927.tif 000003
【図３】
0005353927.tif 000004
【図４】
0005353927.tif 000005
【図５】
0005353927.tif 000006